【手続補正書】
【提出日】平成17年10月19日(2005.10.19)
【手続補正１】
【補正対象書類名】特許請求の範囲
【補正対象項目名】全文
【補正方法】変更
【補正の内容】
【特許請求の範囲】
【請求項１】
光伝搬特性を独立に制御可能な複数の画素を有する第１光変調素子、および光伝搬特性を独立に制御可能な複数の画素を有しかつ表示解像度を決定する第２光変調素子を介して光源からの光を変調する光学系に適用される装置であって、
前記第１光変調素子の各画素の光伝搬特性を決定する第１光伝搬特性決定手段と、前記第１光伝搬特性決定手段で決定した光伝搬特性および表示データに基づいて前記第２光変調素子の各画素の光伝搬特性を決定する第２光伝搬特性決定手段とを備えることを特徴とする光伝搬特性制御装置。
【請求項２】
光源と、光伝搬特性を独立に制御可能な複数の画素を有する第１光変調素子と、光伝搬特性を独立に制御可能な複数の画素を有しかつ表示解像度を決定する第２光変調素子とを備え、前記第１光変調素子および前記第２光変調素子を介して前記光源からの光を変調して画像を表示する装置であって、
前記第２光変調素子の各画素の光伝搬特性を仮決定する光伝搬特性仮決定手段と、前記光伝搬特性仮決定手段で仮決定した光伝搬特性および表示データに基づいて前記第１光変調素子の各画素の光伝搬特性を決定する第１光伝搬特性決定手段と、前記第１光伝搬特性決定手段で決定した光伝搬特性に基づいて前記第１光変調素子の各画素の制御値を決定する第１制御値決定手段と、前記第１光伝搬特性決定手段で決定した光伝搬特性および前記表示データに基づいて前記第２光変調素子の各画素の光伝搬特性を決定する第２光伝搬特性決定手段と、前記第２光伝搬特性決定手段で決定した光伝搬特性に基づいて前記第２光変調素子の各画素の制御値を決定する第２制御値決定手段とを備えることを特徴とする光学表示装置。
【請求項３】
請求項２において、
前記第１光変調素子および前記第２光変調素子は、それぞれ異なる解像度を有し、
前記第１光伝搬特性決定手段は、前記光伝搬特性仮決定手段で仮決定した光伝搬特性および前記表示データに基づいて、前記第２光変調素子の画素単位で前記第１光変調素子の光伝搬特性を算出し、算出した光伝搬特性に基づいて前記第１光変調素子の各画素の光伝搬特性を算出するようになっていることを特徴とする光学表示装置。
【請求項４】
請求項３において、
前記第１光伝搬特性決定手段は、前記第１光変調素子の各画素ごとに、当該画素と光路上で重なり合う前記第２光変調素子の画素について算出した光伝搬特性に基づいて、当該画素の光伝搬特性を算出するようになっていることを特徴とする光学表示装置。
【請求項５】
請求項４において、
前記第１光伝搬特性決定手段は、前記第１光変調素子の各画素ごとに、当該画素と光路上で重なり合う前記第２光変調素子の画素について算出した光伝搬特性の最大値、最小値、平均値または重なり合う面積比による重み付け平均値を、当該画素の光伝搬特性として算出するようになっていることを特徴とする光学表示装置。
【請求項６】
請求項２ないし５のいずれかにおいて、
前記第２光変調素子は、光の波長領域のうち異なる複数の特定波長領域について当該特定波長領域の輝度を変調する特定波長領域輝度変調素子であり、
さらに、前記制御値を光伝搬特性と対応付けて登録した制御値登録テーブルを前記各特定波長領域ごとに備え、
前記光伝搬特性仮決定手段は、前記各特定波長領域ごとに前記特定波長領域輝度変調素子の各画素の光伝搬特性を仮決定し、
前記第１光伝搬特性決定手段は、前記光伝搬特性仮決定手段で仮決定した光伝搬特性および表示データに基づいて、前記各特定波長領域ごとに前記第１光変調素子の各画素の光伝搬特性を決定し、
前記第１制御値決定手段は、前記第１光伝搬特性決定手段で決定した光伝搬特性に基づいて、前記各特定波長領域ごとに、当該特定波長領域に対応する制御値登録テーブルから該当の制御値を読み出し、前記第１光変調素子の同一の画素について読み出した制御値に基づいて当該画素の制御値を算出するようになっていることを特徴とする光学表示装置。
【請求項７】
請求項２ないし６のいずれかにおいて、
前記第１光変調素子および前記第２光変調素子は、それぞれ異なる解像度を有し、
前記第２光伝搬特性決定手段は、前記第２光変調素子の各画素ごとに、当該画素と光路上で重なり合う前記第１光変調素子の画素について前記第１光伝搬特性決定手段で決定した光伝搬特性に基づいて、当該画素の光伝搬特性を算出するようになっていることを特徴とする光学表示装置。
【請求項８】
請求項７において、
前記第２光伝搬特性決定手段は、前記第２光変調素子の各画素ごとに、当該画素と光路上で重なり合う前記第１光変調素子の画素について前記第１光伝搬特性決定手段で決定した光伝搬特性の最大値、最小値、平均値または重なり合う面積比による重み付け平均値を算出し、その算出値に基づいて当該画素の光伝搬特性を算出するようになっていることを特徴とする光学表示装置。
【請求項９】
請求項２ないし８のいずれかにおいて、
前記第１光変調素子は、光の波長領域のうち異なる複数の特定波長領域について当該特定波長領域の輝度を変調する特定波長領域輝度変調素子であり、
さらに、前記制御値を光伝搬特性と対応付けて登録した制御値登録テーブルを前記各特定波長領域ごとに備え、
前記第１光伝搬特性決定手段は、前記光伝搬特性仮決定手段で仮決定した光伝搬特性および表示データに基づいて、前記各特定波長領域ごとに前記特定波長領域輝度変調素子の各画素の光伝搬特性を決定し、
前記第２光伝搬特性決定手段は、前記第１光伝搬特性決定手段で決定した光伝搬特性および前記表示データに基づいて、前記各特定波長領域ごとに前記第２光変調素子の各画素の光伝搬特性を決定し、
前記第２制御値決定手段は、前記第２光伝搬特性決定手段で決定した光伝搬特性に基づいて、前記各特定波長領域ごとに、当該特定波長領域に対応する制御値登録テーブルから該当の制御値を読み出し、前記第２光変調素子の同一の画素について読み出した制御値に基づいて当該画素の制御値を算出するようになっていることを特徴とする光学表示装置。
【請求項１０】
請求項２ないし９のいずれかにおいて、
前記第１光変調素子および前記第２光変調素子の一方は、光の波長領域のうち異なる複数の特定波長領域について当該特定波長領域の輝度を変調する特定波長領域輝度変調素子であり、
前記第１光変調素子および前記第２光変調素子の他方は、光の全波長領域の輝度を変調する全波長領域輝度変調素子であることを特徴とする光学表示装置。
【請求項１１】
請求項２ないし９のいずれかにおいて、
前記第１光変調素子および前記第２光変調素子は、光の波長領域のうち異なる複数の特定波長領域について当該特定波長領域の輝度を変調する特定波長領域輝度変調素子であることを特徴とする光学表示装置。
【請求項１２】
請求項２ないし１１のいずれかにおいて、
前記第２光変調素子は、前記第１光変調素子よりも高い解像度を有することを特徴とする光学表示装置。
【請求項１３】
光伝搬特性を独立に制御可能な複数の画素を有する第１光変調素子、および光伝搬特性を独立に制御可能な複数の画素を有しかつ表示解像度を決定する第２光変調素子を介して光源からの光を変調する光学系に適用されるプログラムであって、
前記第１光変調素子の各画素の光伝搬特性を決定する第１光伝搬特性決定手段、並びに前記第１光伝搬特性決定手段で決定した光伝搬特性および表示データに基づいて前記第２光変調素子の各画素の光伝搬特性を決定する第２光伝搬特性決定手段として実現される処理をコンピュータに実行させるためのプログラムであることを特徴とする光伝搬特性制御プログラム。
【請求項１４】
光源と、光伝搬特性を独立に制御可能な複数の画素を有する第１光変調素子と、光伝搬特性を独立に制御可能な複数の画素を有しかつ表示解像度を決定する第２光変調素子とを備え、前記第１光変調素子および前記第２光変調素子を介して前記光源からの光を変調して画像を表示する光学表示装置を制御するプログラムであって、
前記第２光変調素子の各画素の光伝搬特性を仮決定する光伝搬特性仮決定手段、前記光伝搬特性仮決定手段で仮決定した光伝搬特性および表示データに基づいて前記第１光変調素子の各画素の光伝搬特性を決定する第１光伝搬特性決定手段、前記第１光伝搬特性決定手段で決定した光伝搬特性に基づいて前記第１光変調素子の各画素の制御値を決定する第１制御値決定手段、前記第１光伝搬特性決定手段で決定した光伝搬特性および前記表示データに基づいて前記第２光変調素子の各画素の光伝搬特性を決定する第２光伝搬特性決定手段、並びに前記第２光伝搬特性決定手段で決定した光伝搬特性に基づいて前記第２光変調素子の各画素の制御値を決定する第２制御値決定手段として実現される処理をコンピュータに実行させるためのプログラムであることを特徴とする光学表示装置制御プログラム。
【請求項１５】
光伝搬特性を独立に制御可能な複数の画素を有する第１光変調素子、および光伝搬特性を独立に制御可能な複数の画素を有しかつ表示解像度を決定する第２光変調素子を介して光源からの光を変調する光学系に適用される方法であって、
前記第１光変調素子の各画素の光伝搬特性を決定する第１光伝搬特性決定ステップと、前記第１光伝搬特性決定ステップで決定した光伝搬特性および表示データに基づいて前記第２光変調素子の各画素の光伝搬特性を決定する第２光伝搬特性決定ステップとを含むことを特徴とする光伝搬特性制御方法。
【請求項１６】
光源と、光伝搬特性を独立に制御可能な複数の画素を有する第１光変調素子と、光伝搬特性を独立に制御可能な複数の画素を有しかつ表示解像度を決定する第２光変調素子とを備え、前記第１光変調素子および前記第２光変調素子を介して前記光源からの光を変調して画像を表示する光学表示装置を制御する方法であって、
前記第２光変調素子の各画素の光伝搬特性を仮決定する光伝搬特性仮決定ステップと、前記光伝搬特性仮決定ステップで仮決定した光伝搬特性および表示データに基づいて前記第１光変調素子の各画素の光伝搬特性を決定する第１光伝搬特性決定ステップと、前記第１光伝搬特性決定ステップで決定した光伝搬特性に基づいて前記第１光変調素子の各画素の制御値を決定する第１制御値決定ステップと、前記第１光伝搬特性決定ステップで決定した光伝搬特性および前記表示データに基づいて前記第２光変調素子の各画素の光伝搬特性を決定する第２光伝搬特性決定ステップと、前記第２光伝搬特性決定ステップで決定した光伝搬特性に基づいて前記第２光変調素子の各画素の制御値を決定する第２制御値決定ステップとを含むことを特徴とする光学表示装置制御方法。
【請求項１７】
光源と、光伝搬特性を独立に制御可能な複数の画素を有する第１光変調素子と、光伝搬特性を独立に制御可能な複数の画素を有しかつ表示解像度を決定する第２光変調素子と、前記第１光変調素子および前記第２光変調素子により変調された画像を投射する投射部とを備えるプロジェクタであって、
前記第２光変調素子の各画素の光伝搬特性を仮決定する光伝搬特性仮決定手段と、前記光伝搬特性仮決定手段で仮決定した光伝搬特性および表示データに基づいて前記第１光変調素子の各画素の光伝搬特性を決定する第１光伝搬特性決定手段と、前記第１光伝搬特性決定手段で決定した光伝搬特性に基づいて前記第１光変調素子の各画素の制御値を決定する第１制御値決定手段と、前記第１光伝搬特性決定手段で決定した光伝搬特性および前記表示データに基づいて前記第２光変調素子の各画素の光伝搬特性を決定する第２光伝搬特性決定手段と、前記第２光伝搬特性決定手段で決定した光伝搬特性に基づいて前記第２光変調素子の各画素の制御値を決定する第２制御値決定手段とを備えることを特徴とするプロジェクタ。
【手続補正２】
【補正対象書類名】明細書
【補正対象項目名】発明の名称
【補正方法】変更
【補正の内容】
【発明の名称】光伝搬特性制御装置、光学表示装置、光伝搬特性制御プログラムおよび光学表示装置制御プログラム、並びに光伝搬特性制御方法および光学表示装置制御方法およびプロジェクタ
【手続補正３】
【補正対象書類名】明細書
【補正対象項目名】０００５
【補正方法】変更
【補正の内容】
【０００５】
高ダイナミックレンジの投射型表示装置としては、例えば、特許文献１に開示されてい
る技術があり、光源と、光の全波長領域の輝度を変調する第１光変調素子と、光の波長領
域のうちＲＧＢ３原色の各波長領域についてその波長領域の輝度を変調する第２光変調素
子とを備え、光源からの光を第１光変調素子で変調して所望の輝度分布を形成し、その光
学像を第２光変調素子の画素面に結像して色変調し、２次変調した光を投射するというも
のがある。第１光変調素子および第２光変調素子の各画素は、ＨＤＲ表示データから決定
される第１制御値および第２制御値に基づいてそれぞれ別個に制御される。光変調素子と
しては、透過率が独立に制御可能な画素構造またはセグメント構造を有し、二次元的な透
過率分布を制御し得る透過型変調素子が用いられる。その代表例としては、液晶ライトバ
ルブが挙げられる。また、透過型変調素子の代わりに反射型変調素子を用いてもよく、そ
の代表例としては、ＤＭＤ素子が挙げられる。